(57)【要約】【課題】  小型化及び薄型化を図りつつも、大きな画角と小さなディストーションという高い光学仕様及び、諸収差が良好に補正された高い光学性能を実現することができる撮像レンズを提供し、またこのような撮像レンズを有する撮像装置を提供する。【解決手段】  物体側より像側に向けて順に、負の屈折力を有し像側に凹面を向けた第１レンズＬ１、正の屈折力を有する第２レンズＬ２、開口絞りＳ、及び、正の屈折力を有する第３レンズＬ３が配列されて構成されている。各レンズの少なくとも一方の面は非球面となされ、画角１２０°の共役点における光学ディストーションをＤＴ１としたとき、ＤＴ１＞−０．２９が成立している。【選択図】  図１
2007041080.tif 000002
【特許請求の範囲】
【請求項１】
物体側より像側に向けて順に、負の屈折力を有し像側に凹面を向けたメニスカス形状を有しいずれか一方の面が非球面となされている第１レンズ、正の屈折力を有し両凸形状を有しいずれか一方の面が非球面となされている第２レンズ、開口絞り、及び、正の屈折力を有し像側に凸面を向けたメニスカス形状を有しいずれか一方の面が非球面となされている第３レンズが配列されて構成されており、
画角１２０°の共役点における光学ディストーションをＤＴ１としたとき、下記条件式（１）が満足されている
ことを特徴とする撮像レンズ。
０≧ＤＴ１＞−０．２９  ・・・（１）
【請求項２】
物体側より像側に向けて順に、負の屈折力を有し像側に凹面を向けたメニスカス形状を有しいずれか一方の面が非球面となされている第１レンズ、正の屈折力を有し両凸形状を有しいずれか一方の面が非球面となされている第２レンズ、開口絞り、及び、正の屈折力を有し像側に凸面を向けたメニスカス形状を有しいずれか一方の面が非球面となされている第３レンズが配列されて構成されており、
画角１２０°の共役点における光学ディストーションをＤＴ１、画角１２０°の像高の６０％の像高の共役点における光学ディストーションをＤＴ２としたとき、下記条件式（２）が満足されている
ことを特徴とする撮像レンズ。
０≧（ＤＴ１−ＤＴ２）／２＞−０．０８  ・・・（２）
【請求項３】
所定の使用波長において、画角１２０°における像高をＩＨ（ｍｍ）としたとき、空間周波数１５０／ＩＨ（ｌｐ／ｍｍ）の画角０°の共役点におけるＭＴＦが最大となる像面とメリディオナル面の交線上において、空間周波数１５０／ＩＨ（ｌｐ／ｍｍ）の画角１２０°の共役点におけるＭＴＦをＭＴＦ１としたとき、下記条件式（３）が満足されている
ことを特徴とする請求項１、または、請求項２記載の撮像レンズ。
ＭＴＦ１＞０．１５  ・・・（３）
【請求項４】
所定の使用波長において、画角１２０°における像高をＩＨ（ｍｍ）としたとき、空間周波数１５０／ＩＨ（ｌｐ／ｍｍ）の画角０°の共役点におけるＭＴＦが最大となる像面とサジタル面の交線上において、空間周波数１５０／ＩＨ（ｌｐ／ｍｍ）の画角１２０°の共役点におけるＭＴＦをＭＴＦ２としたとき、下記条件式（４）が満足されている
ことを特徴とする請求項１乃至請求項３のいずれか一に記載の撮像レンズ。
ＭＴＦ２＞０．１５  ・・・（４）
【請求項５】
請求項１乃至請求項４のいずれか一に記載の撮像レンズと、
前記撮像レンズの像面に撮像面を配置した撮像素子と
を備えたことを特徴とする撮像装置。
【発明の詳細な説明】
【技術分野】
【０００１】
本発明は、撮像素子と組み合わせて使用するのに好適な撮像レンズ及びこの撮像レンズを有する撮像装置に関する。
【背景技術】
【０００２】
従来、固体撮像素子（例えば、ＣＣＤ）などの撮像素子を用いて構成された撮像装置を備えた種々の機器が提案されている。このような機器としては、例えば、いわゆるデジタルカメラ、携帯電話、監視カメラ、バーコードリーダ、あるいは、車載用カメラとして構成されている。このような機器において用いられる撮像装置は、撮像素子と、この撮像素子の撮像面に物体（被写体）の像を結像させる撮像レンズとを有して構成されている。
【０００３】
そして、この撮像装置においては、その用途によっては、広い撮影範囲を小さな歪みで高画質に撮像することが要求される場合があり、それに伴い、撮像レンズには、大きな撮影画角及び小さなディストーションという相反する光学仕様、ならびに、高解像度をはじめとする高い光学性能が要求されるに至っている。
【０００４】
また、小型化が要求される機器、もしくは、内部の設置スペースに余裕がない機器に使用される撮像装置においては、撮像レンズに対して、小型化及び薄型化も要求されることとなる。
【０００５】
このように、高い光学性能を有しながら、小型化及び薄型化が図られた撮像レンズを実現するためには、２枚以下のレンズ構成を採用するよりも、３枚構成のレンズ構成を採用することが有望であることが知られている。また、非球面を有するレンズを適宜採用することにより、高い光学性能を維持することができることが知られている。例えば、特許文献１及び特許文献２には、物体側より像側に向けて順に、負−正−絞り−正の屈折力配置を有する３枚構成の撮像レンズが記載されている。
【０００６】
【特許文献１】特開２００１−３３７２６８公報
【特許文献２】特開平６−３４８７８公報
【発明の開示】
【発明が解決しようとする課題】
【０００７】
しかしながら、特許文献１及び特許文献２に記載された撮像レンズにおいては、大きな撮影画角と小さなディストーションとが両立できていない。したがって、これら従来の撮像レンズにおいては、近年において要求されている相反する光学仕様及び高い光学性能を実現することが困難である。
【０００８】
そこで、本発明は、上述の課題に鑑みて提案されるものであって、小型化及び薄型化を図りつつも、大きな撮影画角及び小さなディストーションという相反する光学仕様及び諸収差が良好に補正された高い光学性能を実現することができる撮像レンズ及びこのような撮像レンズを有する撮像装置を提供することを目的とするものである。
【課題を解決するための手段】
【０００９】
前述の課題を解決するため、本発明に係る撮像レンズは、以下の構成を有するものである。
【００１０】
〔構成１〕
物体側より像側に向けて順に、負の屈折力を有し像側に凹面を向けたメニスカス形状を有しいずれか一方の面が非球面となされている第１レンズ、正の屈折力を有し両凸形状を有しいずれか一方の面が非球面となされている第２レンズ、開口絞り、及び、正の屈折力を有し像側に凸面を向けたメニスカス形状を有しいずれか一方の面が非球面となされている第３レンズが配列されて構成されており、画角１２０°の共役点における光学ディストーションをＤＴ１としたとき、下記条件式（１）が満足されていることを特徴とするものである。
０≧ＤＴ１＞−０．２９  ・・・（１）
【００１１】
なお、屈折力及び面の形状の凸、凹の表現は、近軸の曲率によるものである。
【００１２】
〔構成２〕
物体側より像側に向けて順に、負の屈折力を有し像側に凹面を向けたメニスカス形状を有しいずれか一方の面が非球面となされている第１レンズ、正の屈折力を有し両凸形状を有しいずれか一方の面が非球面となされている第２レンズ、開口絞り、及び、正の屈折力を有し像側に凸面を向けたメニスカス形状を有しいずれか一方の面が非球面となされている第３レンズが配列されて構成されており、画角１２０°の共役点における光学ディストーションをＤＴ１、画角１２０°の像高の６０％の像高の共役点における光学ディストーションをＤＴ２としたとき、下記条件式（２）が満足されていることを特徴とするものである。
０≧（ＤＴ１−ＤＴ２）／２＞−０．０８  ・・・（２）
【００１３】
なお、条件式（２）は、対角の画角が１２０°で、アスペクト比が３：４の画像のテレビディストーションと定義される値に関する条件式である。
【００１４】
〔構成３〕
〔構成１〕、または、〔構成２〕を有する撮像レンズであって、所定の使用波長において、画角１２０°における像高をＩＨ（ｍｍ）としたとき、空間周波数１５０／ＩＨ（ｌｐ／ｍｍ）の画角０°の共役点におけるＭＴＦが最大となる像面とメリディオナル面の交線上において空間周波数１５０／ＩＨ（ｌｐ／ｍｍ）の画角１２０°の共役点におけるＭＴＦをＭＴＦ１としたとき、下記条件式（３）が満足されていることを特徴とするものである。
ＭＴＦ１＞０．１５  ・・・（３）
【００１５】
〔構成４〕
〔構成１〕乃至〔構成３〕のいずれか一にを有する撮像レンズであって、所定の使用波長において、画角１２０°における像高をＩＨ（ｍｍ）としたとき、空間周波数１５０／ＩＨ（ｌｐ／ｍｍ）の画角０°の共役点におけるＭＴＦが最大となる像面とサジタル面の交線上において空間周波数１５０／ＩＨ（ｌｐ／ｍｍ）の画角１２０°の共役点におけるＭＴＦをＭＴＦ２としたとき、下記条件式（４）が満足されていることを特徴とするものである。
ＭＴＦ２＞０．１５  ・・・（４）
【００１６】
〔構成５〕
そして、本発明に係る撮像装置は、〔構成１〕乃至〔構成４〕のいずれか一を有する撮像レンズと、この撮像レンズの像面に撮像面を配置した撮像素子とを備えたことを特徴とするものである。
【発明の効果】
【００１７】
本発明に係る撮像レンズは、〔構成１〕、または、〔構成２〕を有することにより、撮影画角を大きくしつつ、小型に構成できるとともに、明るく、諸収差が良好に補正された撮像レンズとして構成できる。また、この撮像レンズにおいては、歪の小さい画像を得ることができ、撮像素子と組み合わせて使用することに好適な光学性能を有している。
【００１８】
また、本発明に係る撮像レンズにおいて、〔構成３〕、または、〔構成４〕を備えることにより、画角の大きい共役点においても高い光学性能を有することができる。
【００１９】
そして、本発明に係る撮像装置は、〔構成５〕を有することにより、撮像レンズとして、小型で諸収差が良好に補正され、大きな撮影画角を有しディストーションの小さい撮像レンズを備えており、小型で、かつ、高い光学性能を有する撮像装置を提供することができるものである。
【００２０】
すなわち、本発明は、小型化及び薄型化を図りつつも、大きな撮影画角及び小さなディストーションという相反する光学仕様及び諸収差が良好に補正された高い光学性能を実現することができる撮像レンズ及びこのような撮像レンズを有する撮像装置を提供することができるものである。
【発明を実施するための最良の形態】
【００２１】
以下、本発明を実施するための最良の形態について、図面を参照して詳細に説明する。
【００２２】
図１、図３、図５及び図７は、本発明の各実施例における撮像レンズの構成を示す断面図である。
【００２３】
本発明に係る撮像レンズは、図１、図３、図５及び図７に示すように、物体側より像側に向けて順に、負の屈折力を有し像側に凹面を向けたメニスカス形状の第１レンズＬ１、正の屈折力を有し両凸形状の第２レンズＬ２、開口絞りＳ、及び、正の屈折力を有し像側に凸面を向けたメニスカス形状の第３レンズＬ３、が配列されて構成されている。
【００２４】
この撮像レンズの像面には、例えば、撮像素子の撮像面が配置される。このように、この撮像レンズと、この撮像レンズの像面に撮像面を位置させた撮像素子とにより、撮像装置が構成される。
【００２５】
この撮像装置においては、撮像レンズの第３レンズＬ３と像面との間には、平行平面板からなるフィルタ１が配置される。このフィルタ１は、撮像素子への不要波長帯域の入射を防ぐための波長選択フィルタや、モアレ縞の発生を防ぐためのローパスフィルタ、あるいは、撮像素子のカバーガラス等であって、これらが単独で、もしくは、組み合わせられて配置されたものである。なお、フィルタ１としてこれら種々のフィルタを組み合わせて配置する場合には、各フィルタを互いに空気層を隔てて配置してもよく、また、各フィルタを互いに接合させて配置してもよい。
【００２６】
この撮像レンズにおいては、第１レンズＬ１は、負の屈折力を有しており、この第１レンズＬ１の屈折力を適宜に大きくすることにより、撮影画角を大きくすることができる。
【００２７】
また、負の屈折力を有する第１レンズＬ１を開口絞りＳの物体側、特に最も物体側に配置することによって、撮像レンズのレンズ径を小さくすることができる。
【００２８】
また、開口絞りＳの像側に正の屈折率を有する第３レンズＬ３のみを配置することによって、軸外光線の像面への入射角を小さくして、射出瞳位置を像面から遠ざけることができる。
【００２９】
また、第１レンズＬ１が、像側に凹面を向けたメニスカス形状となっていることにより、軸外収差、特に、コマ収差が更に良好に補正される。
【００３０】
また、第２レンズＬ２が、正の屈折率を有し両凸形状となっていることにより、物体側の凸面が撮像レンズ全体の正の屈折力の一部を担うとともに、軸外収差の補正に効果的に寄与し、また、像側の凸面が正の屈折力の一部を担うとともに、軸上収差の補正に効果的に寄与している。
【００３１】
また、第３レンズＬ３が、像側に凸面を向けたメニスカス形状となっていることにより、軸外収差、特に、コマ収差を良好に補正することができる。第３レンズＬ３は、各像高の像位置を、光軸方向について揃える機能、及び、射出瞳を像面から遠ざける機能も有している。
【００３２】
さらに、諸収差を良好に補正するためには、第１乃至第３レンズＬ１，Ｌ２，Ｌ３は、少なくとも一方の面が、好ましくは、両面が、非球面となされていることが望ましい。
【００３３】
さらに、この撮像レンズにおいて、歪の小さい画像を得るためには、画角１２０°の共役点における光学ディストーションをＤＴ１としたとき、下記条件式（１）が満足されていることが望ましい。
０≧ＤＴ１＞−０．２９  ・・・（１）
【００３４】
また、別の表記としては、この撮像レンズにおいて、歪の小さい画像を得るためには、画角１２０°の共役点における光学ディストーションをＤＴ１、画角１２０°の像高の６０％の像高の共役点における光学ディストーションをＤＴ２としたとき、下記条件式（２）が満足されていることが望ましい。
０≧（ＤＴ１−ＤＴ２）／２＞−０．０８  ・・・（２）
【００３５】
また、この撮像レンズにおいて、画角の大きい共役点においても高い光学性能を有するためには、所定の使用波長において、画角１２０°における像高をＩＨ（ｍｍ）としたとき、空間周波数１５０／ＩＨ（ｌｐ／ｍｍ）の画角０°の共役点におけるＭＴＦが最大となる像面とメリディオナル面の交線上において、空間周波数１５０／ＩＨ（ｌｐ／ｍｍ）の画角１２０°の共役点におけるＭＴＦをＭＴＦ１としたとき、下記条件式（３）が満足されていることが望ましい。
ＭＴＦ１＞０．１５  ・・・（３）
【００３６】
さらに、この撮像レンズにおいて、画角の大きい共役点においても高い光学性能を有するためには、所定の使用波長において、画角１２０°における像高をＩＨ（ｍｍ）としたとき、空間周波数１５０／ＩＨ（ｌｐ／ｍｍ）の画角０°の共役点におけるＭＴＦが最大となる像面とサジタル面の交線上において、空間周波数１５０／ＩＨ（ｌｐ／ｍｍ）の画角１２０°の共役点におけるＭＴＦをＭＴＦ２としたとき、下記条件式（４）が満足されていることが望ましい。
ＭＴＦ２＞０．１５  ・・・（４）
【００３７】
この撮像レンズにおいて、第１乃至第３レンズＬ１，Ｌ２，Ｌ３をなす素材としては、合成樹脂材料（プラスチック）、ガラスなど、適切な光学材料を用いることができる。例えば、これら各レンズＬ１，Ｌ２，Ｌ３の素材の光学恒数としては、ｄ線（波長５８７．６ｎｍ）における屈折率Ｎｄが１．４乃至２．１、ｄ線におけるアッベ数νｄが２０乃至８５の範囲のものが好ましい。また、これらレンズＬ１，Ｌ２，Ｌ３の素材としては、入手の容易性や製造コストの観点からは、屈折率Ｎｄが１．４５乃至１．９、アッベ数νｄが２０乃至７０の範囲のものがより好ましい。
【００３８】
なお、第１レンズＬ１については、例えば、ｎｄが１．８乃至２．１程度の高屈折率ガラスを使用することによって、各面の、特に像側の面の曲率を過度に大きくせずに、必要な屈折力を得ることができる。第１レンズＬ１に、このような高屈折率のガラス素材を用いることにより、第１レンズＬ１の各面の曲率を過度に大きくしないようにすれば、成形型加工及びこの成形型を用いたレンズの成形を容易とすることができる。
【００３９】
第２レンズＬ２及び第３レンズＬ３については、Ｎｄが１．６乃至２．０程度の高屈折率のガラス素材を用いることにより、各面の曲率を過度に大きくせずに、必要な屈折力を得ることができる。このような高屈折率のガラス素材を用いることにより、Ｌ２及びＬ３の各面の曲率を過度に大きくしないようにすれば、成形型加工及びこの成形型を用いた成形を容易とすることができる。
【００４０】
なお、第１乃至第３レンズＬ１，Ｌ２，Ｌ３は、精密モールドプレスにより成形することができる。第１乃至第３レンズＬ１，Ｌ２，Ｌ３を精密モールドプレスにより成形すれば、これら各レンズＬ１，Ｌ２，Ｌ３の成形に際して、各レンズの第１面と第２面とのシフト量を１０μｍ以下、第１面と第２面との軸の傾き（成形ティルト）を２分以内とすることが可能であり、高い撮像性能を有する撮像レンズを構成することができる。
【実施例１】
【００４１】
本発明の実施例１におけるレンズデータを下記の〔表１〕に示す。
【００４２】
なお、この実施例１における撮像レンズの焦点距離（ｆ）は、１．４９ｍｍ、Ｆナンバは、２．８、撮像画角（２ω）は、１２４°である。
【００４３】
【表１】
2007041080.tif 000003
【００４４】
図１は、本発明の実施例１における撮像レンズの構成を示す断面図である。
【００４５】
この実施例１における撮像レンズでは、画角１２０°の共役点における光学ディストーションをＤＴ１としたとき、下記のように、前述の条件式（１）が満足されている。
ＤＴ１＝−０．２７
【００４６】
また、この実施例１における撮像レンズでは、画角１２０°の共役点における光学ディストーションをＤＴ１、画角１２０°の像高の６０％の像高の共役点における光学ディストーションをＤＴ２としたとき、下記のように、前述の条件式（２）が満足されている。
（ＤＴ１−ＤＴ２）／２＝−０．０７５
【００４７】
また、この実施例１における撮像レンズでは、使用波長９０４ｎｍにおいて、画角１２０°における像高を１．９０ｍｍとしたとき、空間周波数７９（＝１５０／１．９０）ｌｐ／ｍｍの画角０°の共役点におけるＭＴＦが最大となる像面とメリディオナル面の交線上において、空間周波数７９ｌｐ／ｍｍの画角１２０°の共役点におけるＭＴＦをＭＴＦ１としたとき、下記のように、前述の条件式（３）が満足されている。
ＭＴＦ１＝０．６３
【００４８】
なお、この実施例１における撮像レンズでは、少なくとも使用波長３５０ｎｍ〜２μｍの範囲で、前述の条件式（３）が満足されている。
【００４９】
さらに、この実施例１における撮像レンズでは、使用波長９０４ｎｍにおいて、画角１２０°における像高を１．９０ｍｍとしたとき、空間周波数７９（＝１５０／１．９０）ｌｐ／ｍｍの画角０°の共役点におけるＭＴＦが最大となる像面とサジタル面の交線上において、空間周波数７９ｌｐ／ｍｍの画角１２０°の共役点におけるＭＴＦをＭＴＦ２としたとき、下記のように、前述の条件式（４）が満足されている。
ＭＴＦ２＝０．６７
【００５０】
また、この実施例１における撮像レンズでは、少なくとも使用波長３５０ｎｍ〜２μｍの範囲で、前述の条件式（４）が満足されている。
【００５１】
図２は、本発明の実施例１における撮像レンズの収差図であり、（ａ）は球面収差、（ｂ）は非点収差（“×”がサジタル、“＋”がメリジオナル）、（ｃ）が歪曲収差、（ｄ）がメリディオナルコマ収差（2ω=0°及び2ω=124°）を示す。なお、図２の収差図は、波長９０４ｎｍにおけるものである。
【００５２】
この実施例１における撮像レンズにおいては、図２に示すように、諸収差が良好に補正されており、撮像素子と組み合わせて撮像装置を構成する撮像レンズとして好適である。
【実施例２】
【００５３】
本発明の実施例２におけるレンズデータを下記の〔表２〕に示す。
【００５４】
なお、この実施例２における撮像レンズの焦点距離（ｆ）は、１．３５ｍｍ、Ｆナンバは、２．８、撮像画角（２ω）は、１２５°である。
【００５５】
【表２】
2007041080.tif 000004
【００５６】
図３は、本発明の実施例２における撮像レンズの構成を示す断面図である。
【００５７】
この実施例２における撮像レンズでは、画角１２０°の共役点における光学ディストーションをＤＴ１としたとき、下記のように、前述の条件式（１）が満足されている。
ＤＴ１＝−０．１９
【００５８】
また、この実施例２における撮像レンズでは、画角１２０°の共役点における光学ディストーションをＤＴ１、画角１２０°の像高の６０％の像高の共役点における光学ディストーションをＤＴ２としたとき、下記のように、前述の条件式（２）が満足されている。
（ＤＴ１−ＤＴ２）／２＝−０．０６５
【００５９】
また、この実施例２における撮像レンズでは、使用波長９０４ｎｍにおいて、画角１２０°における像高を１．８７ｍｍとしたとき、空間周波数８０（＝１５０／１．８７）ｌｐ／ｍｍの画角０°の共役点におけるＭＴＦが最大となる像面とメリディオナル面の交線上において、空間周波数８０ｌｐ／ｍｍの画角１２０°の共役点におけるＭＴＦをＭＴＦ１としたとき、下記のように、前述の条件式（３）が満足されている。
ＭＴＦ１＝０．４８
【００６０】
なお、この実施例２における撮像レンズでは、少なくとも使用波長３５０ｎｍ〜１．５μｍの範囲で、前述の条件式（３）が満足されている。
【００６１】
さらに、この実施例２における撮像レンズでは、使用波長９０４ｎｍにおいて、画角１２０°における像高を１．８７ｍｍとしたとき、空間周波数８０（＝１５０／１．８７）ｌｐ／ｍｍの画角０°の共役点におけるＭＴＦが最大となる像面とサジタル面の交線上において、空間周波数８０ｌｐ／ｍｍの画角１２０°の共役点におけるＭＴＦをＭＴＦ２としたとき、下記のように、前述の条件式（４）が満足されている。
ＭＴＦ２＝０．６８
【００６２】
また、この実施例２における撮像レンズでは、少なくとも使用波長４００ｎｍ〜２μｍの範囲で、前述の条件式（４）が満足されている。
【００６３】
図４は、本発明の実施例２における撮像レンズの収差図であり、（ａ）は球面収差、（ｂ）は非点収差（“×”がサジタル、“＋”がメリジオナル）、（ｃ）が歪曲収差、（ｄ）がメリディオナルコマ収差（2ω=0°及び2ω=125°）を示す。なお、図４の収差図は、波長９０４ｎｍにおけるものである。
【００６４】
この実施例２における撮像レンズにおいては、図４に示すように、諸収差が良好に補正されており、撮像素子と組み合わせて撮像装置を構成する撮像レンズとして好適である。
【実施例３】
【００６５】
本発明の実施例３におけるレンズデータを下記の〔表３〕に示す。
【００６６】
なお、この実施例３における撮像レンズの焦点距離（ｆ）は、１．４８ｍｍ、Ｆナンバは、２．８、撮像画角（２ω）は、１２４°である。
【００６７】
【表３】
2007041080.tif 000005
【００６８】
図５は、本発明の実施例３における撮像レンズの構成を示す断面図である。
【００６９】
この実施例３における撮像レンズでは、画角１２０°の共役点における光学ディストーションをＤＴ１としたとき、下記のように、前述の条件式（１）が満足されている。
ＤＴ１＝−０．２７
【００７０】
この実施例３における撮像レンズでは、画角１２０°の共役点における光学ディストーションをＤＴ１、画角１２０°の像高の６０％の像高の共役点における光学ディストーションをＤＴ２としたとき、下記のように、前述の条件式（２）が満足されている。
（ＤＴ１−ＤＴ２）／２＝−０．０７４
【００７１】
また、この実施例３における撮像レンズでは、使用波長９０４ｎｍにおいて、画角１２０°における像高を１．８７ｍｍとしたとき、空間周波数８０（＝１５０／１．８７）ｌｐ／ｍｍの画角０°の共役点におけるＭＴＦが最大となる像面とメリディオナル面の交線上において、空間周波数８０ｌｐ／ｍｍの画角１２０°の共役点におけるＭＴＦをＭＴＦ１としたとき、下記のように、前述の条件式（３）が満足されている。
ＭＴＦ１＝０．６４
【００７２】
なお、この実施例３における撮像レンズでは、少なくとも使用波長３５０ｎｍ〜１．５μｍの範囲で、前述の条件式（３）が満足されている。
【００７３】
さらに、この実施例３における撮像レンズでは、使用波長９０４ｎｍにおいて、画角１２０°における像高を１．８７ｍｍとしたとき、空間周波数８０（＝１５０／１．８７）ｌｐ／ｍｍの画角０°の共役点におけるＭＴＦが最大となる像面とサジタル面の交線上において、空間周波数８０ｌｐ／ｍｍの画角１２０°の共役点におけるＭＴＦをＭＴＦ２としたとき、下記のように、前述の条件式（４）が満足されている。
ＭＴＦ２＝０．６９
【００７４】
また、この実施例３における撮像レンズでは、少なくとも使用波長４００ｎｍ〜２μｍの範囲で、前述の条件式（４）が満足されている。
【００７５】
図６は、本発明の実施例３における撮像レンズの収差図であり、（ａ）は球面収差、（ｂ）は非点収差（“×”がサジタル、“＋”がメリジオナル）、（ｃ）が歪曲収差、（ｄ）がメリディオナルコマ収差（2ω=0°及び2ω=124°）を示す。なお、図６の収差図は、波長９０４ｎｍにおけるものである。
【００７６】
この実施例３における撮像レンズにおいては、図６に示すように、諸収差が良好に補正されており、撮像素子と組み合わせて撮像装置を構成する撮像レンズとして好適である。
【実施例４】
【００７７】
本発明の実施例４におけるレンズデータを下記の〔表４〕に示す。
【００７８】
なお、この実施例４における撮像レンズの焦点距離（ｆ）は、１．３５ｍｍ、Ｆナンバは、２．８、撮像画角（２ω）は、１２５°である。
【００７９】
【表４】
2007041080.tif 000006
【００８０】
図７は、本発明の実施例４における撮像レンズの構成を示す断面図である。
【００８１】
この実施例４における撮像レンズでは、画角１２０°の共役点における光学ディストーションをＤＴ１としたとき、下記のように、前述の条件式（１）が満足されている。
ＤＴ１＝−０．２０
【００８２】
また、この実施例４における撮像レンズでは、画角１２０°の共役点における光学ディストーションをＤＴ１、画角１２０°の像高の６０％の像高の共役点における光学ディストーションをＤＴ２としたとき、下記のように、前述の条件式（２）が満足されている。
（ＤＴ１−ＤＴ２）／２＝−０．０６６
【００８３】
また、この実施例４における撮像レンズでは、使用波長９０４ｎｍにおいて、画角１２０°における像高を１．８７ｍｍとしたとき、空間周波数８０（＝１５０／１．８７）ｌｐ／ｍｍの画角０°の共役点におけるＭＴＦが最大となる像面とメリディオナル面の交線上において、空間周波数８０ｌｐ／ｍｍの画角１２０°の共役点におけるＭＴＦをＭＴＦ１としたとき、下記のように、前述の条件式（３）が満足されている。
ＭＴＦ１＝０．５３
【００８４】
なお、この実施例４における撮像レンズでは、少なくとも使用波長３５０ｎｍ〜１．５μｍの範囲で、前述の条件式（３）が満足されている。
【００８５】
さらに、この実施例４における撮像レンズでは、使用波長９０４ｎｍにおいて、画角１２０°における像高を１．８７ｍｍとしたとき、空間周波数８０（＝１５０／１．８７）ｌｐ／ｍｍの画角０°の共役点におけるＭＴＦが最大となる像面とサジタル面の交線上において、空間周波数８０ｌｐ／ｍｍの画角１２０°の共役点におけるＭＴＦをＭＴＦ２としたとき、下記のように、前述の条件式（４）が満足されている。
ＭＴＦ２＝０．６６
【００８６】
また、この実施例４における撮像レンズでは、少なくとも使用波長４００ｎｍ〜２μｍの範囲で、前述の条件式（４）が満足されている。
【００８７】
図８は、本発明の実施例４における撮像レンズの収差図であり、（ａ）は球面収差、（ｂ）は非点収差（“×”がサジタル、“＋”がメリジオナル）、（ｃ）が歪曲収差、（ｄ）がメリディオナルコマ収差（2ω=0°及び2ω=125°）を示す。なお、図８の収差図は、波長９０４ｎｍにおけるものである。
【００８８】
この実施例４における撮像レンズにおいては、図８に示すように、諸収差が良好に補正されており、撮像素子と組み合わせて撮像装置を構成する撮像レンズとして好適である。
【図面の簡単な説明】
【００８９】
【図１】本発明の実施例１における撮像レンズの構成を示す断面図である。
【図２】本発明の実施例１における撮像レンズの収差図（球面収差、非点収差、歪曲収差及びメリディオナルコマ収差）である。
【図３】本発明の実施例２における撮像レンズの構成を示す断面図である。
【図４】本発明の実施例２における撮像レンズの収差図（球面収差、非点収差、歪曲収差及びメリディオナルコマ収差）である。
【図５】本発明の実施例３における撮像レンズの構成を示す断面図である。
【図６】本発明の実施例３における撮像レンズの収差図（球面収差、非点収差、歪曲収差及びメリディオナルコマ収差）である。
【図７】本発明の実施例４における撮像レンズの構成を示す断面図である。
【図８】本発明の実施例４における撮像レンズの収差図（球面収差、非点収差、歪曲収差及びメリディオナルコマ収差）である。
【符号の説明】
【００９０】
１    フィルタ
Ｓ    開口絞り
Ｌ１  第１レンズ
Ｌ２  第２レンズ
Ｌ３  第３レンズ
【図１】
2007041080.tif 000007
【図２】
2007041080.tif 000008
【図３】
2007041080.tif 000009
【図４】
2007041080.tif 000010
【図５】
2007041080.tif 000011
【図６】
2007041080.tif 000012
【図７】
2007041080.tif 000013
【図８】
2007041080.tif 000014